(57)【要約】【課題】電子機器が備える認証機能を改善すること。【解決手段】１つの態様において、電子機器は、ユーザの移動状態に応じて、ロック機能に基づくロックの解除に用いる認証レベルを変更する制御部を備える。制御部は、ロック解除操作に伴って生体情報取得部により取得された第１の生体情報を取得し、変更した認証レベルに基づいてロック解除条件を決定し、第１の生体情報と、予め設定登録されている第２の生体情報との一致率を算出し、一致率が、認証レベルに基づいて決定したロック解除条件を満足すると判定した場合、ロックを解除する。【選択図】図１
2017085423.tif 000002
【特許請求の範囲】
【請求項１】
ユーザの移動状態に応じて、ロック機能に基づくロックの解除に用いる認証レベルを変更する制御部を備える電子機器。
【請求項２】
前記制御部は、
ロック解除操作に伴って生体情報取得部により取得された第１の生体情報を取得し、
変更した前記認証レベルに基づいてロック解除条件を決定し、
前記第１の生体情報と、予め設定登録されている第２の生体情報との一致率を算出し、
前記一致率が、決定した前記ロック解除条件を満足すると判定した場合、前記ロックを解除する
請求項１に記載の電子機器。
【請求項３】
前記制御部は、
前記ロックを実行する際、及び前記ロックを解除する際に前記移動状態の判別を行い、
前記ロックを実行する際の判別結果である第１の移動状態、及び前記ロックを解除する際の判別結果である第２の移動状態に基づいて、前記認証レベルを変更する請求項１又は２に記載の電子機器。
【請求項４】
前記制御部は、
前記第１の移動状態と前記第２の移動状態とが同じである場合には、前記認証レベルを基準レベルよりも低いレベルに引き下げる一方で、
前記第１の移動状態と前記第２の移動状態とが異なる場合には、前記認証レベルを基準レベルのままで維持する請求項３に記載の電子機器。
【請求項５】
前記制御部は、
前記移動状態として、静止物上に自機が載置されている静止状態を判別可能であり、
前記第１の移動状態及び前記第２の移動状態がともに前記静止状態である場合、前記第１の移動状態と前記第２の移動状態とが同じであっても、前記認証レベルを基準レベルで維持する請求項４に記載の電子機器。
【請求項６】
前記制御部は、
前記移動状態として、自動車又は電車に乗車せずにユーザが移動している状態と、ユーザが移動していない状態とを判別可能であり、
前記第１の移動様態が、自動車又は電車に乗車せずにユーザが移動している状態であり、かつ第２の移動状態がユーザが移動していない状態である場合には、一定時間、前記認証レベルを基準レベルよりも低いレベルに引き下げる請求項３に記載の電子機器。
【請求項７】
前記制御部は、
前記ロックを実行してから当該ロックを解除するまでの間に前記移動状態に変化があるかを判定し、
判定の結果、前記移動状態に変化がある場合には、前記認証レベルを基準レベルのままで維持し、
判定の結果、前記移動状態に変化がある場合には、前記認証レベルを基準レベルよりも低いレベルに引き下げる請求項１又は２に記載の電子機器。
【請求項８】
前記制御部は、
自機の移動速度を算出し、
前記ロックを実行してから当該ロックを解除するまでの間に前記移動状態に変化があるかを判定し、
判定の結果、前記移動状態に変化がある場合には、前記移動状態が変化した際の前記移動速度が閾値を超えているかを判定し、
前記移動速度が前記閾値を超えている場合、一定時間、前記認証レベルを基準レベルよりも高いレベルに引き上げる請求項１又は２に記載の電子機器。
【請求項９】
ロック機能に基づくロックを実行する第１制御と、
前記ロックの実行に応じてユーザの移動状態を判別する第２制御と、
前記第２制御の実行後、第１の生体情報の入力受付に応じて、前記移動状態を再判定する第３制御と、
前記第２制御による前記移動状態の判定結果と、前記第３制御による前記移動状態の判定結果とに基づいて、前記ロックの解除に用いる認証レベルを変更する第４の制御と、
前記認証レベルに基づいてロック解除条件を決定する第５の制御と、
前記第１の生体情報と、予め設定登録されている第２の生体情報との一致率を算出する第６の制御と、
前記一致率が前記ロック解除条件を満足する場合、前記ロックを解除する第７の制御と
を含む制御方法。
【発明の詳細な説明】
【技術分野】
【０００１】
本出願は、電子機器及び制御方法に関する。
【背景技術】
【０００２】
従来、読み取った指紋データと、予め登録されている指紋データとを照合することにより、ユーザを認証する指紋認証機能付き携帯端末がある。
【先行技術文献】
【特許文献】
【０００３】
【特許文献１】特開２００７−３１０６３８号公報
【発明の概要】
【発明が解決しようとする課題】
【０００４】
従来の携帯端末のように、電子機器が備える認証機能には改善の余地がある。
【課題を解決するための手段】
【０００５】
１つの態様に係る電子機器は、ユーザの移動状態に応じて、ロック機能に基づくロックの解除に用いる認証レベルを変更する制御部を備える。
【０００６】
１つの態様に係る制御方法は、ロック機能に基づくロックを実行する第１制御と、前記ロックの実行に応じてユーザの移動状態を判別する第２制御と、前記第２制御の実行後、第１の生体情報の入力受付に応じて、前記移動状態を再判定する第３制御と、前記第２制御による前記移動状態の判定結果と、前記第３制御による前記移動状態の判定結果とに基づいて、前記ロックの解除に用いる認証レベルを変更する第４の制御と、前記認証レベルに基づいてロック解除条件を決定する第５の制御と、前記第１の生体情報と、予め設定登録されている第２の生体情報との一致率を算出する第６の制御と、前記一致率が前記ロック解除条件を満足する場合、前記ロックを解除する第７の制御とを含む。
【図面の簡単な説明】
【０００７】
【図１】図１は、スマートフォンの機能構成を示すブロック図である。
【図２】図２は、ロック解除条件決定テーブルの構成の一例を示す図である。
【図３】図３は、スマートフォンによるロック解除処理の一例を示すフローチャートである。
【図４】図４は、スマートフォンによる認証レベル決定処理の一例を示すフローチャートである。
【図５】図５は、スマートフォンによる認証レベル決定処理の他の例を示すフローチャートである。
【図６】図６は、スマートフォンによる認証レベル決定処理の他の例を示すフローチャートである。
【図７】図７は、スマートフォンによる認証レベル決定処理の他の例を示すフローチャートである。
【図８】図８は、スマートフォンの機能構成の他の例を示す図である。
【図９】図９は、スマートフォンによる認証レベル決定処理の他の例を示すフローチャートである。
【発明を実施するための形態】
【０００８】
本出願に係る電子機器及び制御方法を実施するための複数の実施形態を、図面を参照しつつ詳細に説明する。
【０００９】
以下では、本出願に係る電子機器の一例として、スマートフォンを取り上げて説明する。携帯電子機器は、ユーザが携行可能であって、ロック機能を有し、移動手段の判別を実行する電子機器であれば、スマートフォン以外の機器であってもよく、例えば、モバイルフォン、タブレット、携帯型パソコン、デジタルカメラ、メディアプレイヤ、電子書籍リーダ、ナビゲータ、歩数計、活動量計、ウエアラブルデバイス、ヘッドマウントディスプレイ、補聴器、イヤホン、又はゲーム機等の機器であってよい。ウエアラブルデバイスは、時計型、メガネ型、靴型、髪留め型、鍵型、ネックレス型、首輪型、指輪型、腕輪型、鞄型などを含む。
【００１０】
図１は、スマートフォン１の機能構成の一例を示すブロック図である。以下の説明において、同様の構成要素について同一の符号を付すことがある。以下の説明において、重複する説明は省略することがある。以下の説明において、スマートフォン１を「自機」と表記する場合がある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、指紋センサ１７とを備える。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１４】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１５】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
タッチスクリーン２Ｂの検出方式は、静電容量方式、抵抗膜方式、表面弾性波方式、赤外線方式、及び荷重検出方式等の任意の方式でよい。
【００１７】
ボタン３は、利用者からの操作入力を受け付ける。ボタン３の数は、単数であっても、複数であってもよい。ボタン３は、操作ボタンの一例である。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）が含まれる。通信ユニット６は、上述した通信規格の１つ又は複数をサポートしていてもよい。
【００２１】
レシーバ７は、コントローラ１０から送信される音信号を音として出力する。レシーバ７は、例えば、スマートフォン１にて再生される動画の音、音楽の音、及び通話時の相手の声を出力することができる。マイク８は、入力される利用者の声等を音信号へ変換してコントローラ１０へ送信する。
【００２２】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳが含まれる。プログラムは、通信ユニット６による無線通信又は非一過的な記憶媒体を介してストレージ９にインストールされてもよい。
【００２４】
ストレージ９は、制御プログラム９Ａ、カメラアプリケーション９Ｂ、電話アプリケーション９Ｃ、ロック解除条件決定テーブル９Ｄ、認証用生体データ９Ｅ、移動状態データ９Ｆ及び設定データ９Ｚなどを記憶する。制御プログラム９Ａは、各種機能を提供するに際し、各種アプリケーションと連携できる。制御プログラム９Ａは、通信ユニット６を介してクラウドストレージと連携し、当該クラウドストレージが記憶するファイル及びデータにアクセスしてもよい。クラウドストレージは、ロック解除条件決定テーブル９Ｄ、認証用生体データ９Ｅのうち、一部又は全部を記憶してもよい。
【００２５】
ある実施形態において、制御プログラム９Ａは、ユーザの移動状態に応じて、ロック機能に基づくロックの解除に用いる認証レベルを変更する機能を提供してよい。制御プログラム９Ａは、モーションセンサから取得した情報に基き、ユーザの移動状態を判別してよい。制御プログラム９Ａは、判別した移動状態を、移動状態データ９Ｆとしてストレージ９に記憶させる。具体的には、制御プログラム９Ａは、加速度センサ１５から取得した加速度の方向及び大きさに基づいて、スマートフォン１に作用する振動及び動きを測定する。制御プログラム９Ａは、予め測定した各種移動状態においてスマートフォン１に作用する振動及び動きのデータを参照し、振動及び動きの測定結果から移動状態を判別する。ストレージ９は、予め測定した各種移動状態においてスマートフォン１に作用する振動及び動きのデータを記憶してよい。制御プログラム９Ａは、加速度センサ１５の代替として、或いは、補助として、角速度センサ、地磁気センサ、ＧＰＳ受信機、マイク及びカメラのうち少なくとも一つを用いて、移動状態を判別してもよい。制御プログラム９Ａは、移動状態を所定のタイミングで判別してよい。制御プログラム９Ａは、移動状態を周期的に判別してよい。移動状態は、自機が静止物に載置されている状態、自機を携帯するユーザが立ち止まっている停止状態、自機を携帯するユーザが歩いている歩行状態、自機を携帯するユーザが走っている走行状態、自機を携帯するユーザが自動車又は電車に乗車している乗車状態を含む。ロック機能は、ロックを解除する操作以外、自機に対する各種操作が受け付けられない状態を可能とし、例えば、ディスプレイ２Ａの消灯時に自機をロックする。ロック機能は、各種アプリケーションについて、アプリケーションの実行又はアプリケーション内の一部機能を個別に制限する機能を含む。
【００２６】
制御プログラム９Ａは、例えば、ロック解除操作に伴って指紋センサ１７により指紋データを取得し、取得した指紋データと、予め設定登録されている照合用指紋データとの一致率を算出する。制御プログラム９Ａは、算出した一致率がロック解除条件を満足すると判定した場合、ロックを解除する機能を提供できる。このとき、制御プログラム９Ａは、認証レベルに基づいてロック解除条件を決定する機能を提供できる。制御プログラム９Ａは、取得した指紋データをデジタル変換して前処理を施してから予め設定される特徴を抽出してもよい。制御プログラム９Ａは、取得した指紋データから抽出した特徴と、照合用指紋データと、を照合して一致率を算出してもよい。制御プログラム９Ａは、取得した指紋データから抽出した特徴と、照合用指紋データと、を照合する場合、指紋データと同様に照合用指紋データから抽出した特徴を照合に用いればよい。具体的には、制御プログラム９Ａは、取得した指紋画像を、強調、二値化及び細線化等の前処理を施し、当該前処理を施した指紋画像から指紋の端点及び分岐点の座標等を特徴として抽出してもよい。制御プログラム９Ａは、取得した指紋画像から抽出した指紋の端点及び分岐点の座標と、照合用指紋データから抽出した指紋の端点及び分岐点の座標とを照合して一致率を算出してもよい。強調、二値化及び細線化等の前処理、及び指紋の端点及び分岐点の座標の抽出は、前処理の方法、及び抽出する特徴の例示に過ぎず、制御プログラム９Ａが施す前処理の方法、及び、抽出する特徴は、適宜変更してもよい。
【００２７】
制御プログラム９Ａは、ロックを実行する際、及びロックを解除する際にユーザの移動状態の判別を行う機能を提供してよい。制御プログラム９Ａは、ロックを実行する際の判別結果である第１の移動状態、及びロックを解除する際の判別結果である第２の移動状態に基づいて認証レベルを変更する機能を提供してよい。
【００２８】
制御プログラム９Ａは、上記第１の移動状態と上記第２の移動状態とが同じである場合には、認証レベルを基準レベルよりも低いレベルに引き下げる一方で、上記第１の移動状態と上記第２の移動状態とが異なる場合には、認証レベルを基準レベルのままで維持する機能を提供してよい。
【００２９】
カメラアプリケーション９Ｂは、画像の静止画撮影、動画撮影、編集および管理等を行うための機能を提供してよい。電話アプリケーション９Ｃは、無線通信による通話のための通話機能を提供してよい。
【００３０】
ロック解除条件決定テーブル９Ｄは、制御プログラム９Ａが提供する機能に基づく処理に用いられる。図２は、ロック解除条件決定テーブル９Ｄの構成の一例を示す図である。図２に示すように、ロック解除条件決定テーブル９Ｄは、指紋センサ１７を介して入力される指紋データと照合用指紋データとの一致率と、認証レベルとを対応付けて構成される。図２に示す認証レベル２は、スマートフォン１が生体認証処理を行う場合の初期設定として採用する基準レベルである。認証レベル２よりもレベルが低い認証レベル１の場合、認証レベル２よりもロック解除条件が緩和され、認証レベル２よりもレベルが高い認証レベル３の場合、認証レベル２よりもロック解除条件が強化される。制御プログラム９Ａは、認証レベルを変更する場合、例えば、認証レベル２から認証レベル１に引き下げたり、認証レベル２から認証レベル３に引き上げたりできる。
【００３１】
認証用生体データ９Ｅは、指紋センサ１７を介してユーザにより入力される指紋データの照合に用いる照合用指紋データを含む。
【００３２】
移動状態データ９Ｆは、ユーザの移動状態の判定結果を含む。
【００３３】
設定データ９Ｚは、スマートフォン１の動作に関する各種設定の情報を含む。
【００３４】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３５】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６及び指紋センサ１７を含むが、これらに限定されない。
【００３６】
コントローラ１０は、制御プログラム９Ａを実行することにより、ユーザの移動状態に応じて、ロック機能に基づくロックの解除に用いる認証レベルを変更する処理などを実現する。
【００３７】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００３８】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００３９】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４０】
加速度センサ１５は、スマートフォン１に作用する加速度の方向及び大きさを検出する。
【００４１】
方位センサ１６は、例えば、地磁気の向きを検出し、地磁気の向きに基づいて、スマートフォン１の向き（方位）を検出する。
【００４２】
指紋センサ１７は、指紋データを取得する。指紋センサ１７は、例えば、ロック解除操作に伴いユーザにより入力される指紋データを取得する。指紋センサ１７は、光学方式、静電容量方式、電界強度測定方式、感圧方式又は感熱方式等の検出方式のセンサを用いることができる。指紋センサ１７は、生体情報取得部の一例である。生体情報取得部は、例えば、ユーザの網膜を走査して、ユーザに特有の網膜データを取得するためのセンサであってもよい。網膜データは、例えば、網膜上の血管の画像情報等を含む。生体情報取得部は、例えば、ユーザの虹彩を走査して、ユーザに特有の虹彩データを取得するためのセンサであってもよい。虹彩データは、例えば、虹彩の画像情報を含む。生体情報取得部は、例えば、ユーザの皮膚から放出される生体ガスを検出して、ユーザに特有の生体ガスデータを取得するためのセンサであってもよい。生体ガスデータは、例えば、生体ガスの成分量情報等を含む。生体情報取得部は、例えば、ユーザの静脈を走査して、ユーザに特有の静脈データを取得するためのセンサであってもよい。静脈データは、例えば、静脈の画像データを含む。生体情報取得部は、例えば、ユーザの顔を撮影して、ユーザの顔データを取得するためのカメラであってもよい。顔データは、例えば、顔の画像情報等を含む。生体情報取得部は、例えば、ユーザの声を検出して、ユーザに特有の声データを取得するためのマイクであってもよい。声データは、例えば、声紋の情報等を含む。スマートフォン１は、取得した網膜データ、網膜血管データ、虹彩データ、においデータ、顔データ、又は、声データの生体データを、前処理を施して、予め設定される特徴を抽出してもよい。スマートフォン１は、取得した生体データから抽出した特徴と、予め記憶する照合用生体データと、を照合して一致率を算出してもよい。スマートフォン１は、取得した生体データから抽出した特徴と、照合用生体データと、を照合する場合、生体データと同様に照合用生体データから抽出した特徴を照合に用いればよい。
【００４３】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。スマートフォン１は、バッテリなど、スマートフォン１の機能を維持するために当然に用いられる機能部、及びスマートフォン１の制御を実現するために当然に用いられる制御部を実装する。
【００４４】
図３及び図４を参照しつつ、１つの実施形態に係るスマートフォン１により実行される処理の流れを説明する。図３は、スマートフォン１によるロック解除処理の一例を示すフローチャートである。図４は、スマートフォン１による認証レベル決定処理の一例を示すフローチャートである。図３及び図４に示す処理は、コントローラ１０が、ストレージ９に記憶されている制御プログラム９Ａを実行することにより実現される。
【００４５】
図３を用いて、スマートフォン１により実行されるロック解除処理を説明する。図３に示すように、コントローラ１０は、ユーザのロック解除操作に伴う指紋データを取得する（ステップＳ１０１）。
【００４６】
続いて、コントローラ１０は、認証レベル決定処理を実行する（ステップＳ１０２）。認証レベル決定処理については後述する。
【００４７】
続いて、コントローラ１０は、指紋データと、照合用指紋データとの一致率を算出する（ステップＳ１０３）。
【００４８】
続いて、コントローラ１０は、ステップＳ１０２の認証レベル決定処理で決定した認証レベルに対応するロック解除条件をロック解除条件決定テーブル９Ｄから取得する（ステップＳ１０４）。
【００４９】
続いて、コントローラ１０は、ステップＳ１０３で算出した一致率がロック解除条件を満足するか判定する（ステップＳ１０５）。
【００５０】
コントローラ１０は、判定の結果、一致率がロック解除条件を満足する場合（ステップＳ１０５，Ｙｅｓ）、ロックを解除して（ステップＳ１０６）、図３に示す処理を終了する。
【００５１】
一方、コントローラ１０は、判定の結果、一致率がロック解除条件を満足しない場合（ステップＳ１０５，Ｎｏ）、ロックが解除できない旨を通知して（ステップＳ１０７）、図３に示す処理を終了する。
【００５２】
図４を用いて、スマートフォン１により実行される認証レベル決定処理を説明する。図４に示すように、コントローラ１０は、ロックを実行する際の判別結果である第１の移動状態、及びロックを解除する際の判別結果である第２の移動状態を、ストレージ９に記憶された移動状態データ９Ｆから取得する（ステップＳ２０１）。
【００５３】
続いて、コントローラ１０は、第１の移動状態と第２の移動状態とが同じであるかを判定する（ステップＳ２０２）。
【００５４】
コントローラ１０は、判定の結果、第１の移動状態と第２の移動状態とが同じである場合には（ステップＳ２０２，Ｙｅｓ）、認証レベルを基準レベルよりも低いレベルに引き下げて（ステップＳ２０３）、図４に示す処理を終了する。図２に示す例であれば、コントローラ１０は、認証レベルを、基準レベルである認証レベル２よりも低いレベルの認証レベル１に引き下げる。
【００５５】
コントローラ１０は、判定の結果、第１の移動状態と第２の移動状態とが同じではない場合には（ステップＳ２０２，Ｎｏ）、認証レベルを基準レベルのまま維持して（ステップＳ２０４）、図４に示す処理を終了する。図２に示す例であれば、コントローラ１０は、認証レベルを、基準レベルである認証レベル２のまま維持する。
【００５６】
スマートフォン１は、第１の移動状態と第２の移動状態とが同じである場合、第１の移動様態および第２の移動状態がさらに静止状態であるか否かに基づいて、認証レベルを決定してもよい。以下では、図５を用いて、この場合のスマートフォン１による処理の流れを説明する。図５は、スマートフォン１による認証レベル決定処理の他の例を示すフローチャートである。
【００５７】
図５に示すように、コントローラ１０は、ロックを実行する際の判別結果である第１の移動状態、及びロックを解除する際の判別結果である第２の移動状態を、ストレージ９に記憶された移動状態データ９Ｆから取得する（ステップＳ３０１）。
【００５８】
続いて、コントローラ１０は、第１の移動状態と第２の移動状態とが同じであるかを判定する（ステップＳ３０２）。
【００５９】
コントローラ１０は、判定の結果、第１の移動状態と第２の移動状態とが同じである場合（ステップＳ３０２，Ｙｅｓ）、第１の移動状態および第２の移動状態がともに静止状態であるかを判定する（ステップＳ３０３）。
【００６０】
コントローラ１０は、判定の結果、第１の移動状態および第２の移動状態がともに静止状態ではない場合（ステップＳ３０３，Ｎｏ）、認証レベルを基準レベルよりも低いレベルに引き下げて（ステップＳ３０４）、図５に示す処理を終了する。
【００６１】
一方、コントローラ１０は、判定の結果、第１の移動状態および第２の移動状態がともに静止状態である場合（ステップＳ３０３，Ｙｅｓ）、認証レベルを基準レベルのまま維持して（ステップＳ３０５）、図５に示し処理を終了する。
【００６２】
上記ステップＳ３０２において、コントローラ１０は、判定の結果、第１の移動状態と第２の移動状態とが同じではない場合（ステップＳ３０２，Ｎｏ）、ステップＳ３０５の処理手順に移る。
【００６３】
スマートフォン１は、第１の移動状態が自動車又は電車以外の移動であるかを判定し、さらに、第２の移動状態が移動していない状態であるかを判定することにより、認証レベルを決定してもよい。
【００６４】
制御プログラム９Ａは、第１の移動状態が自動車又は電車以外の移動であり、第２の移動状態が移動していない状態であれば、一定時間、認証レベルを基準レベルよりも低いレベルに引き下げる機能を提供できる。制御プログラム９Ａは、自機の移動状態が、例えば、歩行状態又は走行状態であると判別すると、自動車又は電車以外の移動であると判定してよい。制御プログラム９Ａは、自機の移動状態が、例えば、停止状態であると判別すると、移動していない状態であると判定してよい。制御プログラム９Ａは、一定時間、認証レベルを基準レベルよりも低いレベルに引き下げた後は、認証レベルを、基準レベルに戻す。
【００６５】
コントローラ１０は、制御プログラム９Ａを実行することにより、第１の移動状態が自動車又は電車以外の移動であり、第２の移動状態が移動していない状態であれば、一定時間、認証レベルを基準レベルよりも低いレベルに引き下げる処理を実現する。自動車又は電車以外の移動と判定する移動状態が複数ある場合、コントローラ１０は、第１の移動状態が自動車又は電車以外の移動であり、第２の移動状態が移動していない状態であるとき、自動車又は電車以外の移動と判定した移動状態の種別に応じて、認証レベルを基準レベルよりも低いレベルに引き下げる処理を実行する時間を変更してもよい。
【００６６】
図６は、スマートフォン１による認証レベル決定処理の他の例を示すフローチャートである。図６に示すように、コントローラ１０は、ロックを実行する際の判別結果である第１の移動状態、及びロックを解除する際の判別結果である第２の移動状態を、ストレージ９に記憶された移動状態データ９Ｆから取得する（ステップＳ４０１）。
【００６７】
続いて、コントローラ１０は、第１の移動状態が自動車又は電車以外の移動であるかを判定する（ステップＳ４０２）。
【００６８】
コントローラ１０は、判定の結果、第１の移動状態が自動車又は電車以外の移動である場合（ステップＳ４０２，Ｙｅｓ）、第２の移動状態が移動していない状態であるかを判定する（ステップＳ４０３）。
【００６９】
コントローラ１０は、判定の結果、第２の移動状態が移動していない状態である場合（ステップＳ４０３，Ｙｅｓ）、一定時間、認証レベルを基準レベルよりも低いレベルに引き下げて（ステップＳ４０４）、図６に示す処理を終了する。
【００７０】
上記ステップＳ４０３において、コントローラ１０は、判定の結果、第２の移動状態が移動している状態である場合（ステップＳ４０３，Ｎｏ）、図６に示す処理を終了する。
【００７１】
上記ステップＳ４０２において、コントローラ１０は、判定の結果、第１の移動状態が自動車又は電車による移動である場合（ステップＳ４０２，Ｎｏ）、図６に示す処理を終了する。
【００７２】
スマートフォン１は、移動状態に変化があれば、認証レベルを変更してもよい。
【００７３】
制御プログラム９Ａは、スマートフォン１の電源がＯＮである間、継続して移動状態を判定する機能を提供できる。例えば、制御プログラム９Ａは、スマートフォン１の電源がＯＮである間、周期的に移動状態を判別して、移動状態のログを記録してよい。移動状態データ９Ｆは、移動状態のログを含んでよい。制御プログラム９Ａは、移動状態のログを参照して、移動状態の変化が検出されれば、認証レベルを基準レベルのまま維持する一方で、移動状態に変化がなければ、認証レベルを基準レベルよりも低いレベルに引き下げる機能を提供できる。
【００７４】
コントローラ１０は、制御プログラム９Ａを実行することにより、移動状態のログを取得し、移動状態のログに基づいて移動状態の変化が検出されれば、認証レベルを基準レベルのまま維持する一方で、移動状態に変化がなければ、認証レベルを基準レベルよりも低いレベルに引き下げる処理を実現する。
【００７５】
図７は、スマートフォン１による認証レベル決定処理の他の例を示すフローチャートである。図７に示すように、コントローラ１０は、ストレージ９に記憶されている移動状態データ９Ｆから、移動状態のログを取得する（ステップＳ５０１）。コントローラ１０は、図７に示す処理に必要な期間における移動状態のログを取得できる。例えば、コントローラ１０は、図７に示す処理の前回実施から今回実施する直前までに記録した移動状態のログを取得してよい。例えば、コントローラ１０は、ロックを実行してから当該ロックを解除する直前までの間に記録した移動状態のログを取得してよい。
【００７６】
続いて、コントローラ１０は、ステップＳ５０１で取得した移動状態のログを参照して、移動状態に変化があるかを判定する（ステップＳ５０２）。
【００７７】
コントローラ１０は、判定の結果、移動状態に変化がある場合（ステップＳ５０２，Ｙｅｓ）、認証レベルを基準レベルのまま維持して（ステップＳ５０３）、図７に示す処理を終了する。
【００７８】
コントローラ１０は、判定の結果、移動状態に変化がない場合（ステップＳ５０２，Ｎｏ）、認証レベルを基準レベルよりも低いレベルに引き下げて（ステップＳ５０４）、図７に示す処理を終了する。
【００７９】
スマートフォン１は、認証レベル決定処理において、移動状態に変化があると判定した場合、さらに自機の移動速度を考慮してよい。図８は、スマートフォン１の機能構成の他の例を示す図である。図８に示すスマートフォン１は、以下に説明する点が、図１に示すスマートフォン１とは異なる。
【００８０】
移動状態データ９Ｆは、移動状態の判定結果に対応付けて、自機の移動速度のデータを記憶する。
【００８１】
ストレージ９は、閾値データ９Ｇを記憶する。閾値データ９Ｇは、自機の移動速度を評価するための閾値のデータを含む。
【００８２】
制御プログラム９Ａは、移動状態が変化した場合、自機の移動速度が閾値を超えているかを判定し、閾値を超えている場合、一定時間、認証レベルを基準レベルよりも高いレベルに引き上げる一方で、閾値を超えていない場合、認証レベルを基準レベルのまま維持する機能を提供できる。
【００８３】
コントローラ１０は、制御プログラム９Ａを実行することにより、移動状態が変化した場合、自機の移動速度が閾値を超えているかを判定し、閾値を超えている場合、一定時間、認証レベルを基準レベルよりも高いレベルに引き上げる一方で、閾値を超えていない場合、認証レベルを基準レベルのまま維持する処理を実現する。
【００８４】
図９は、スマートフォン１による認証レベル決定処理の他の例を示すフローチャートである。図９に示すように、コントローラ１０は、ストレージ９に記憶されている移動状態データ９Ｆから、移動状態のログを取得する（ステップＳ６０１）。
【００８５】
続いて、コントローラ１０は、ステップＳ６０１で取得した移動状態のログを参照して、移動状態に変化があるかを判定する（ステップＳ６０２）。
【００８６】
コントローラ１０は、判定の結果、移動状態に変化がある場合（ステップＳ６０２，Ｙｅｓ）、ストレージ９に記憶されている移動状態データ９Ｆから、移動状態が変化したときの移動速度を取得する（ステップＳ６０３）。
【００８７】
続いて、コントローラ１０は、ステップＳ６０３で取得した移動速度とストレージ９に記憶されている閾値データ９Ｇから取得した閾値とを比較して、移動速度が閾値を超えているか判定する（ステップＳ６０４）。
【００８８】
コントローラ１０は、判定の結果、移動速度が閾値を超えている場合（ステップＳ６０４，Ｙｅｓ）、一定時間、認証レベルを基準レベルよりも高いレベルに引き上げて（ステップＳ６０５）、図９に示す処理を終了する。
【００８９】
コントローラ１０は、判定の結果、移動速度が閾値を超えていない場合（ステップＳ６０４，Ｎｏ）、認証レベルを基準レベルのまま維持して（ステップＳ６０６）、図９に示す処理を終了する。
【００９０】
上記ステップＳ６０２において、コントローラ１０は、判定の結果、移動状態に変化がない場合（ステップＳ６０２，Ｎｏ）、認証レベルを基準レベルよりも低いレベルに引き下げて（ステップＳ６０７）、図９に示す処理を終了する。
【００９１】
上述してきたように、実施形態に係るスマートフォン１は、ユーザの移動状態に応じて、ロック解除条件を決定づける認証レベルを変更する。このため、実施形態に係るスマートフォン１は、自機に備えられた認証機能を改善できる。
【００９２】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００９３】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｄ  ロック解除条件決定テーブル
９Ｅ  認証用生体データ
９Ｆ  移動状態データ
９Ｇ  閾値データ
９Ｚ  設定データ
１０  コントローラ
１１  スピーカ
１２  カメラ
１３  カメラ
１４  コネクタ
１５  加速度センサ
１６  方位センサ
１７  指紋センサ
【図１】
2017085423.tif 000003
【図２】
2017085423.tif 000004
【図３】
2017085423.tif 000005
【図４】
2017085423.tif 000006
【図５】
2017085423.tif 000007
【図６】
2017085423.tif 000008
【図７】
2017085423.tif 000009
【図８】
2017085423.tif 000010
【図９】
2017085423.tif 000011
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
ユーザの移動状態に応じて、ロック機能に基づくロックの解除に用いる認証レベルを変更する制御部を備え、
前記制御部は、
前記ロックを実行する際、及び前記ロックを解除する際に前記移動状態の判別を行い、
前記ロックを実行する際の判別結果である第１の移動状態、及び前記ロックを解除する際の判別結果である第２の移動状態に基づいて、前記認証レベルを変更する電子機器。
【請求項２】
前記制御部は、
ロック解除操作に伴って生体情報取得部により取得された第１の生体情報を取得し、
変更した前記認証レベルに基づいてロック解除条件を決定し、
前記第１の生体情報と、予め設定登録されている第２の生体情報との一致率を算出し、
前記一致率が、決定した前記ロック解除条件を満足すると判定した場合、前記ロックを解除する
請求項１に記載の電子機器。
【請求項３】
前記制御部は、
前記第１の移動状態と前記第２の移動状態とが同じである場合には、前記認証レベルを基準レベルよりも低いレベルに引き下げる一方で、
前記第１の移動状態と前記第２の移動状態とが異なる場合には、前記認証レベルを基準レベルのままで維持する請求項１に記載の電子機器。
【請求項４】
前記制御部は、
前記移動状態として、静止物上に自機が載置されている静止状態を判別可能であり、
前記第１の移動状態及び前記第２の移動状態がともに前記静止状態である場合、前記第１の移動状態と前記第２の移動状態とが同じであっても、前記認証レベルを基準レベルで維持する請求項３に記載の電子機器。
【請求項５】
前記制御部は、
前記移動状態として、自動車又は電車に乗車せずにユーザが移動している状態と、ユーザが移動していない状態とを判別可能であり、
前記第１の移動状態が、自動車又は電車に乗車せずにユーザが移動している状態であり、かつ第２の移動状態がユーザが移動していない状態である場合には、一定時間、前記認証レベルを基準レベルよりも低いレベルに引き下げる請求項１に記載の電子機器。
【請求項６】
前記制御部は、
前記ロックを実行してから当該ロックを解除するまでの間に前記移動状態に変化があるかを判定し、
判定の結果、前記移動状態に変化がある場合には、前記認証レベルを基準レベルのままで維持し、
判定の結果、前記移動状態に変化がない場合には、前記認証レベルを基準レベルよりも低いレベルに引き下げる請求項１又は２に記載の電子機器。
【請求項７】
前記制御部は、
自機の移動速度を算出し、
前記ロックを実行してから当該ロックを解除するまでの間に前記移動状態に変化があるかを判定し、
判定の結果、前記移動状態に変化がある場合には、前記移動状態が変化した際の前記移動速度が閾値を超えているかを判定し、
前記移動速度が前記閾値を超えている場合、一定時間、前記認証レベルを基準レベルよりも高いレベルに引き上げる請求項１又は２に記載の電子機器。
【請求項８】
ロック機能に基づくロックを実行する第１制御と、
前記ロックの実行に応じてユーザの移動状態を判別する第２制御と、
前記第２制御の実行後、第１の生体情報の入力受付に応じて、前記移動状態を再判定する第３制御と、
前記第２制御による前記移動状態の判定結果と、前記第３制御による前記移動状態の判定結果とに基づいて、前記ロックの解除に用いる認証レベルを変更する第４の制御と、
前記認証レベルに基づいてロック解除条件を決定する第５の制御と、
前記第１の生体情報と、予め設定登録されている第２の生体情報との一致率を算出する第６の制御と、
前記一致率が前記ロック解除条件を満足する場合、前記ロックを解除する第７の制御と
を含む制御方法。
【請求項９】
ユーザの移動状態に応じて、ロック機能に基づくロックの解除に用いる認証レベルを変更する制御部を備え、
前記制御部は、
前記ロックを実行してから当該ロックを解除するまでの間に前記移動状態に変化があるかを判定し、
判定の結果、前記移動状態に変化がある場合には、前記認証レベルを基準レベルのままで維持し、
判定の結果、前記移動状態に変化がない場合には、前記認証レベルを基準レベルよりも低いレベルに引き下げる電子機器。
【請求項１０】
ユーザの移動状態に応じて、ロック機能に基づくロックの解除に用いる認証レベルを変更する制御部を備え、
前記制御部は、
自機の移動速度を算出し、
前記ロックを実行してから当該ロックを解除するまでの間に前記移動状態に変化があるかを判定し、
判定の結果、前記移動状態に変化がある場合には、前記移動状態が変化した際の前記移動速度が閾値を超えているかを判定し、
前記移動速度が前記閾値を超えている場合、一定時間、前記認証レベルを基準レベルよりも高いレベルに引き上げる電子機器。